【手続補正書】
【提出日】平成17年7月12日(2005.7.12)
【手続補正１】
【補正対象書類名】明細書
【補正対象項目名】発明の名称
【補正方法】変更
【補正の内容】
【発明の名称】繊維フリースを製造する装置
【手続補正２】
【補正対象書類名】明細書
【補正対象項目名】特許請求の範囲
【補正方法】変更
【補正の内容】
【特許請求の範囲】
【請求項１】
繊維原料供給装置と、供給原料の走行方向に沿って隣接して配置された複数の回転ソーチスローラを具備した開繊装置を含んで成り、該開繊装置の最後部のソーチスローラには空気流用空気源を具備した空気式繊維排出装置が組合されており、該繊維排出装置の近傍の区域で且つ開繊装置の下流に連続して移動しながら前記排出された繊維を吸引する通気性の捕捉面を具備した繊維フリース形成装置が配置されており、前記捕捉面の上方には下方が開口したチャンバが設けられている、繊維フリースを製造する装置において、
送風又は吸引によって生じ、且つ加熱された空気流（Ｃ）がチャンバ（１０）に進入するように構成され、それによってソーチスローラ（７）から排出された繊維が熱の影響下で互いに結合可能であることを特徴とする繊維フリースを製造する装置。
【請求項２】
繊維（Ａ）に加熱下で活性な結合材が混入されていることを特徴とする請求項１記載の装置。
【請求項３】
前記結合材がポリプロピレン系繊維の如き熱可塑性繊維であることを特徴とする請求項１記載の装置。
【請求項４】
送風気流または吸引気流（Ｃ；Ｃ１、Ｃ２、Ｃ３）がフリース結合に必要な温度に加熱されていることを特徴とする請求項１から３までのいずれか１項記載の装置。
【請求項５】
繊維（Ａ）と結合材を包含している繊維空気流（Ｂ）とが加熱されていることを特徴とする請求項１から４までのいずれか１項記載の装置。
【請求項６】
繊維空気流（Ｂ）がスクリーンベルト（９）またはスクリーンドラムの如き部材から成る繊維捕捉面上で、フリース結合に必要な温度に加熱されていることを特徴とする請求項１から５までのいずれか１項記載の装置。
【請求項７】
繊維捕捉面を有する部材と加熱装置とが統合ユニットを形成していることを特徴とする請求項１から６までのいずれか１項記載の装置。
【請求項８】
スクリーンベルト（９）またはスクリーンドラムの如き繊維捕捉面を有する部材用のプロセス空気（Ｅ、Ｅ１、Ｅ２、Ｅ３、Ｅ４）がフリース結合に必要な温度に加熱されていることを特徴とする請求項１から７までのいずれか１項記載の装置。
【請求項９】
加熱された送風気流または吸引気流（Ｃ）がソーチスローラ（７）から繊維をはぎ取るために利用されることを特徴とする請求項１から８までのいずれか１項記載の装置。
【請求項１０】
加熱された送風気流または吸引気流（Ｃ）がスクリーンベルト（９）またはスクリーンドラムの如き繊維捕捉面を有する部材を介して吸引されることを特徴とする請求項１から９までのいずれか１項記載の装置。
【請求項１１】
熱交換器（１３）の如き熱風発生装置が配置されていることを特徴とする請求項１から１０までのいずれか１項記載の装置。
【請求項１２】
冷風気流（Ｇ）がソーチスローラ（７）に向けられていることを特徴とする請求項１から１１までのいずれか１項記載の装置。
【請求項１３】
冷風気流（Ｇ）が熱風気流（Ｃ）と混合されることを特徴とする請求項１から１２までのいずれか１項記載の装置。
【請求項１４】
加熱された空気（Ｂ、Ｃ、Ｅ）のための閉じた循環空気系が用いられていることを特徴とする請求項１から１３までのいずれか１項記載の装置。
【請求項１５】
加熱された空気（Ｂ、Ｃ、Ｅ）のための開いた空気系が用いられていることを特徴とする請求項１から１３までのいずれか１項記載の装置。
【請求項１６】
加熱された空気（Ｃ；Ｃ１、Ｃ２、Ｃ３）を供給するための送風機（１４）が配置されていることを特徴とする請求項１から１５までのいずれか１項記載の装置。
【請求項１７】
冷風気流（Ｇ）を供給するための送風機（２５）が配置されていることを特徴とする請求項１から１６までのいずれか１項記載の装置。
【請求項１８】
吸引空気（Ｅ；Ｅ１、Ｅ２、Ｅ３、Ｅ４）を排出するための送風機（２４）が配置されていることを特徴とする請求項１から１７までのいずれか１項記載の装置。
【請求項１９】
空気の温度を所定値に保つための温度調節装置（１８、１９；２２、２３）が設けられていることを特徴とする請求項１から１８までのいずれか１項記載の装置。
【請求項２０】
空気の量を所定値に保つための空気量調節装置（２０）が配置されていることを特徴とする請求項１から１９までのいずれか１項記載の装置。
【請求項２１】
気流のための気流調節装置が設けられていることを特徴とする請求項１から２０までのいずれか１項記載の装置。
【請求項２２】
開繊装置（１）の上流に短繊維供給装置が接続されていることを特徴とする請求項１から２１までのいずれか１項記載の装置。
【請求項２３】
繊維捕捉面（９）の下流にフリース搬出装置（１７）が接続されていることを特徴とする請求項１から２２までのいずれか１項記載の装置。
【請求項２４】
繊維排出装置（８）が最後部のソーチスローラ（７）に対して接線方向に配置されており、送風気流（Ｃ）が下方から上方に向けられていることを特徴とする請求項１から２３までのいずれか１項記載の装置。
【請求項２５】
繊維捕捉面（９）が循環する通気性の搬送ベルトであり、その上側ベルトの繊維とは反対側に、サクションボックス（１１）の如き吸引装置が配置されていることを特徴とする請求項１から２４までのいずれか１項記載の装置。
【請求項２６】
サクションボックス（１１）が、それぞれ吸引導管と結合している複数の個別区分（１１ａ、１１ｂ、１１ｃ、１１ｄ）から成ることを特徴とする請求項２４記載の装置。
【請求項２７】
各々の吸引導管に、空気量を調節するための制御フラップまたは絞りフラップの如き調節部材が配置されていることを特徴とする請求項２６記載の装置。
【請求項２８】
繊維捕捉面を有する部材が吸引作用を受けて循環するスクリーンドラムであることを特徴とする請求項１から２７までのいずれか１項記載の装置。
【請求項２９】
搬送ベルト（９）が所定の角度（α）で作業方向に向けて上昇するように配置されていることを特徴とする請求項１から２８までのいずれか１項記載の装置。
【請求項３０】
バルブが設けられており、その吸込み側には繊維捕捉面を有する部材の吸引ボックス（１１；１１ａ、１１ｂ、１１ｃ、１１ｄ）が接続され、吐出し側には最後部のソーチスローラ（７）に付属している繊維排出装置（８）が接続されていることを特徴とする請求項１から２９までのいずれか１項記載の装置。
【請求項３１】
供給フリース（Ｃ）の厚さを調節するための装置が設けられていることを特徴とする請求項１から３０までのいずれか１項記載の装置。
【請求項３２】
捕集チャンバ（１０）が湾曲した上部壁面を有していることを特徴とする請求項１から３１までのいずれか１項記載の装置。
【請求項３３】
繊維捕捉面（９）の出口では、ベルト変向ローラ（９ｂ）と捕集チャンバ（１０）の下部仕切りとの間にシーリングローラ（１２）が配置されていることを特徴とする請求項１から３２までのいずれか１項記載の装置。
【請求項３４】
繊維捕捉面（９）の入口では、繊維排出装置とベルト変向ローラ（９ａ）との間にシーリングローラ（１６）が配置されていることを特徴とする請求項１から３３までのいずれか１項記載の装置。
【請求項３５】
空気流量測定装置、圧力センサまたは誘導変位センサの如き少なくとも１つの測定要素と、調節可能な駆動装置または制御調節装置の如き少なくとも１つの調節要素が共通の制御調節装置に電気的に接続されていることを特徴とする請求項１から３４までのいずれか１項記載の装置。